(57)【特許請求の範囲】
【請求項１】
設置箇所に直接に又は仲介部材を介して固定されるベースと、前記ベースに固定された支軸と、前記支軸を囲うように配置された筒状の回転体と、前記回転体の軸心周りに配置されて前記回転体に固定された複数枚の羽根とを備え、
前記回転体のうち前記ベースと反対側の一端部には蓋板が設けられて、前記蓋板が前記支軸に軸受けを介して回転自在に取り付けられている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している、
鳥類忌避装置。
【請求項２】
設置箇所に直接に又は仲介部材を介して配置された支軸と、前記支軸を囲うように配置された筒状の回転体と、前記回転体の軸心周りに配置されて前記回転体に固定された複数枚の羽根とを備え、
前記回転体のうち前記設置箇所と反対側の一端に蓋板が設けられて、前記蓋板が前記支軸に軸受けを介して回転自在に取り付けられている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している、
鳥類忌避装置。
【請求項３】
一端に蓋板を備えた筒状の回転体と、前記回転体の軸心周りに配置されて前記回転体に固定された複数枚の羽根とを備え、前記回転体の蓋板が前記回転体の内部に配置された回転軸に固定されている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している、
鳥類忌避装置。
【請求項４】
前記各羽根は、前記回転体の回転軸心と直交した方向に長い１本の前記折り目を挟んでく字状に屈曲した２枚のフラップを備えており、前記折り目を挟んで前記ベースから遠い側に位置した第１フラップに、前記回転体の回転軸心方向から見て当該回転軸心と直交した方向に突出した鋭角の前記尖り縁部を形成している、
請求項１〜３のうちのいずれかに記載した鳥類忌避装置。
【発明の詳細な説明】
【技術分野】
【０００１】
本願発明は、鳥類（鴎、烏、鳶、鳩、椋鳥、百舌、雀、ヒヨドリ、川鵜など）の飛来を阻止する鳥類忌避装置に関するものである。
【背景技術】
【０００２】
野生の鳥類による食害や糞害、鳥インフルエンザのような伝染病害、或いは鳥による送電障害や通信障害などを防止するために、様々な鳥類忌避装置が提案されている。鳥類忌避装置は、音で威嚇するタイプや超音波を利用したタイプ、視覚に訴えて寄せつけないタイプなどがある。視覚に訴えて寄せつけないタイプは、幻惑作用や警戒作用を利用して忌避するものであり、その一部として、鳥が不規則な反射光を嫌う性質を利用した回転式のものがある。
【０００３】
回転式の忌避装置として、特許文献１では、各羽根の先端を鋭角状に形成したファン状の形態が開示されており、特許文献２では、羽根を、回転軸心と直交した折り目を境にしてクランク状に折り曲げることが開示されている。更に、特許文献３には、多数枚の羽根を、回転軸心方向から見て外広がりの台形に形成することが開示されている。
【先行技術文献】
【特許文献】
【０００４】
【特許文献１】実用新案登録第３１８０８０９号のＣＤ−ＲＯＭ
【特許文献２】実用新案登録第３０７４５１１号のＣＤ−ＲＯＭ
【特許文献３】特開２０１６−１７１７０６号公報
【発明の概要】
【発明が解決しようとする課題】
【０００５】
鳥類が回転式の忌避装置を見てなぜ警戒心を抱くのか十分に解明していないが、鳥類が不規則な反射光やシャープな光に強い警戒心を抱くことは間違いないと推測される。また、特定の形状に警戒する性質も持っていると推測される。本願発明者がカモメを観察したところ、ステンレス板製で鋭角な部分を有する羽根には強い警戒心を持っており、餌（魚）を近くにおいても近寄ることはなかった。
【０００６】
従って、特許文献１，３のように羽根の先端を鋭角に形成することは忌避効果を得る上で有益と解されるが、特許文献１，３の羽根は全体が平坦状であるため、光の乱反射が少なくて、忌避効果に限度があると解される。
【０００７】
他方、特許文献２では、羽根はクランク状に折り曲げられているため、特許文献１，３に比べると光の乱反射効果は高いと推測されるが、羽根は、回転軸心と直交した方向に広がる部分と、回転軸心と平行な部分とから成っているため、回転させても乱反射効果はさほど高くないと推測される。
【０００８】
本願発明はこのような現状を背景に成されたものであり、鳥類の忌避効果に優れた装置を提供せんとするものである。
【課題を解決するための手段】
【０００９】
本願発明の鳥類忌避装置は、各請求項で特定した構成を含んでいる。このうち請求項１の発明に係る鳥類忌避装置は、
「設置箇所に直接に又は仲介部材を介して固定されるベースと、前記ベースに固定された支軸と、前記支軸を囲うように配置された筒状の回転体と、前記回転体の軸心周りに配置されて前記回転体に固定された複数枚の羽根とを備え、
前記回転体のうち前記ベースと反対側の一端部には蓋板が設けられて、前記蓋板が前記支軸に軸受けを介して回転自在に取り付けられている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している」
という構成になっている。
【００１０】
各請求項において、羽根は、折り目が回転軸心と直交している態様と、折り目が回転軸心と平行な態様との両方を含んでいる。また、フラップが「回転軸心を含む平面に対して傾斜している」とは、回転軸心方向から見て、当該フラップの面積が部分的に見える状態をいう。
【００１１】
本願発明において、各羽根のフラップは平坦状であるのが好ましいが、多少は湾曲していてもよい。また、羽根は、パンチングメタルやラス板で製造することも可能である。更に、羽根にエンボス状等の多数の凹凸を形成することも可能である。
【００１２】
請求項２の発明に係る鳥類忌避装置は、
「設置箇所に直接に又は仲介部材を介して配置された支軸と、前記支軸を囲うように配置された筒状の回転体と、前記回転体の軸心周りに配置されて前記回転体に固定された複数枚の羽根とを備え、
前記回転体のうち前記設置箇所と反対側の一端に蓋板が設けられて、前記蓋板が前記支軸に軸受けを介して回転自在に取り付けられている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している」
という構成になっている。
【００１３】
請求項３の発明に係る鳥類忌避装置は、
「一端に蓋板を備えた筒状の回転体と、前記回転体の軸心周りに配置されて前記回転体に固定された複数枚の羽根とを備え、前記回転体の蓋板が前記回転体の内部に配置された回転軸に固定されている一方、
前記各羽根は、折り目を介して屈曲した複数枚のフラップから成っており、前記各フラップのうち少なくとも１枚のフラップは、前記回転体の回転軸心を含む平面に対して傾斜していると共に、前記回転軸心と交叉した方向又は平行な方向に突出した少なくとも１つの尖り縁部を有している」
という構成になっている。
【００１４】
更に、請求項４の発明は、請求項１〜３のうちのいずれかにおいて、
「前記各羽根は、前記回転体の回転軸心と直交した方向に長い１本の前記折り目を挟んでく字状に屈曲した２枚のフラップを備えており、前記折り目を挟んで前記ベースから遠い側に位置した第１フラップに、前記回転体の回転軸心方向から見て当該回転軸心と直交した方向に突出した鋭角の前記尖り縁部を形成している」
という構成になっている。
本願発明の鳥類忌避装置は、建造物において鳥類が飛来可能な場所に配置できる。鳥類が飛来可能な場所には、出入り口、屋根、屋上、軒先、窓部の近傍、壁部、梁部、ベランダの手すり、鉄塔又は電柱に設けたフレーム材が含まれている。
【００１５】
本願発明において、羽根の枚数は忌避装置の大きさ等に応じて任意に設定できるが、一般的には３枚程度で足りる。また、屋外に設置されるという性質上、羽根は、耐候性と防錆性との要請からステンレス板で製造するのが好ましい。また、コスト面では羽根を風で回転させるのが好ましいが、モータで駆動することも可能である。
【００１６】
本願発明の鳥類忌避装置を建造物に取り付けるにおいては、忌避装置の姿勢は対象部の状態に応じて設定したらよい。例えば、屋上に配置する場合は、羽根が上でベースが下に位置する上向き姿勢にしたらよいし、壁に配置する場合は、回転軸を水平状にした横向き姿勢にしたらよい。庇の下面に配置する場合など、羽根が下でベースが上に位置した下向き姿勢で取り付けることも可能である。
【発明の効果】
【００１７】
本願発明では、羽根は、折り目を有して複数枚のフラップが屈曲していると共に、少なくとも１枚のフラップは尖り縁部を備えているため、羽根は全体としてシャープな形態を成している。このため、鳥に強い警戒心を抱かせて高い忌避効果を享受できる。鳥がシャープな形態に警戒を抱く理由は定かではないが、鳥にしてみると、自然界にない不自然な形態であるため、危害を受ける刃物のように感じるのではないかと推測される。
【００１８】
また、少なくとも１枚のフラップは回転軸心を含む平面に対して傾斜しているため、光の反射作用を高くして羽根のシャープさを更に強調できる。これにより、鳥の警戒心を更に高めて忌避効果を更に向上できる。フラップが傾斜していると、風によって回転させる機能を向上できる利点もある。
【００１９】
本願発明者が北海道の厚岸漁港の建物屋上で実験したところ、本願発明の装置がない状態では餌（魚）をおくと鴎が寄ってきてついばんでいたが、本願発明の装置を配置すると餌を置いても鴎は近寄らず、高い忌避効果を確認できた（羽根が回転しなくても高い忌避効果を発揮する。）。なお、実験は人目に触れないように非公開で行った。
【００２０】
本願各発明では、羽根は筒状の回転体に取り付けられているため、請求項１，２では軸受けが回転体で保護されて耐久性に優れている利点がある。
【００２１】
請求項４のように、第１フラップの尖り縁部を軸心方向から見て鋭角に形成すると、羽根を鋭い刃物であるかのように見せる効果が助長されて、忌避効果を大きく向上できると云える。
【００２２】
本願発明の忌避装置は、鳥害を生じるおそれがあるいずれの場所にも配置できる。従って、各種の建物や送電用・通信用の鉄塔、電柱、携帯電話の中継基地、ゴミステーションなどを鳥害から保護することができる。近年、鶏に関し渡り鳥を媒介にした鳥インフルエンザが問題になっているが、本願発明の忌避装置を鶏舎の窓や壁等に設置することにより、鶏舎への渡り鳥の侵入を阻止して、鳥インフルエンザの流行を防止又は大幅に抑制できると期待される。
【図面の簡単な説明】
【００２３】
【図１】第１実施形態を示す図で、（Ａ）は一部を省略した斜視図、（Ｂ）は１枚の羽根の斜視図である。
【図２】（Ａ）は忌避装置の平面図、（Ｂ）（Ｃ）は現場への固定構造を示す断面図である。
【図３】図２（Ａ）のIII-III 視断面図である。
【図４】実施物を設置した建物の概略斜視図である。
【図５】（Ａ）は図４の VA-VA視断面図、（Ｂ）（Ｃ）は（Ａ）の別例図、（Ｄ）は図４の VD-VD視断面図、（Ｅ）は窓の近傍に配置した正面図である。
【図６】他の設置例を示す図である。
【図７】（Ａ）は第２実施形態を示すもので羽根に施し得る模様の図、（Ｂ）は第３実施形態の部分的な斜視図、（Ｃ）は第４実施形態の部分的な斜視図である。
【発明を実施するための形態】
【００２４】
(1).第１実施形態の構造
次に、本願発明の実施形態を図面に基づいて説明する。まず、第１実施形態の忌避装置を図１〜３に基づいて説明する。本実施形態の忌避装置１は、３枚の羽根２とこれが固定された筒状の回転体３と、回転体３が回転自在に保持された円筒状の固定支軸４とを備えている。固定支軸４はベース５に立設されている。各部材は、例えばステンレス製である。
【００２５】
以下では、方向を特定するため上下の文言を使用するが、便宜的に、回転体３の軸心Ｏを鉛直姿勢と仮定し、羽根２が上に位置してベース５が下に位置している状態を基準にして、上下の方向を特定している。
【００２６】
ベース５は長方形に形成されており、一対のボルト挿通穴６が空いている。なお、ベース５の形態は任意に設定できる。図２に一点鎖線で示すようにベース５を正方形に形成し、四隅部にボルト挿通穴６を空けることも可能である。
【００２７】
図３に示すように、固定支軸４の上端は上板７で塞がれており、上板７に軸受け８が配置されている。軸受け８は、インナーレースとアウターレースとボール群とをするボールベアリングであり、アウターレースをケース９に回転不能に固定し、ケース９を上板７にビス止めや溶接などで固定している。他方、軸受け８のインナーレースには下方からビス１０が挿通・固定されており、ビス１０を上向きに露出させて、露出部にワッシャー１１を溶接等で固定している。ビスは回転軸の一例である。
【００２８】
そして、回転体３の上端（一端）に蓋板１２が一体に設けられて、ビス１０の上部を蓋板１２に下方から挿通しており、ビス１０に六角ナット１３ａ及び袋ナット１３ｂをねじ込むことにより、ビス１０に回転体３を固定している。従って、回転体３は軸受け８を介して軽快に回転する。
【００２９】
羽根２は、回転体３の上端面に位置した折り目１４を挟んで上側（ベース５から遠い側）に位置した平坦な第１フラップ１５と、折り目１４を挟んで下側（ベース５に近い側）に位置した平坦な第２フラップ１６とからなっており、両者は、折り目１４の軸心方向から見てく字状の姿勢に屈曲している。従って、風が回転軸心Ｏの方向に吹くと、図２（Ａ）に矢印で示すように、羽根２は折り目１４を後ろにした方向に回転する。横風の場合は、逆方向に回転することもある。
【００３０】
折り目１４は回転軸心Ｏと直交した方向に延びており、かつ、回転軸心Ｏと交叉している。そして、第１フラップ１５と回転体３の蓋板１２との交叉角度θ１は約４５°に設定されている一方、第２フラップ１６と回転体３の蓋板１２との交叉角度θ２は約３０°に設定されている。敢えて述べるまでもないが、θ１，θ２は任意に設定できる。
【００３１】
第２フラップ１６はその全体が回転体３の外側に位置しているが、第１フラップ１５の一部は回転体３の蓋板１２と重なっており、従って、第１フラップ１５は、第２フラップ１６から回転軸心Ｏの側に入り込んだ内向き張り出し部１５ａを有しており、内向き張り出し部１５ａの下端縁が回転体３の蓋板１２に溶接によって固定されている。図３に明示するように、第２フラップ１６の内側縁１６ａは、下に向けて回転体３から離れるように傾斜している。羽根２は回転体３の外周面に固定してもよい。
【００３２】
図１や図３のとおり、第１フラップ１５は、おおまかには回転軸心Ｏから遠ざかる方向に上下幅が広がるような形態であり、回転軸心Ｏから遠い先端部の上部幅は等しくなっている。従って、五角形になっている。他方、第２フラップ１６は、下に向けて横幅が小さくなる逆台形になっている。
【００３３】
そして、第１フラップ１５の外端面１５ｂと第２フラップ１６の外端面１６ｂとは、回転軸心Ｏから離れるに従って高くなるように傾斜しているが、両外端面１５ｂ，１６ｂは、回転軸心Ｏ及び折り目１４と直交した方向から見て一直線に連なっている。従って、羽根２を展開した状態では、両フラップ１５，１６の外端面１５ｂ，１６ｂは一直線に連続する。
【００３４】
第１フラップ１５の外端面１５ｂは回転軸心Ｏから遠ざかるに従って高くなるように傾斜している一方、第１フラップ１５の外端部の上面１５ｃは回転軸心Ｏと直交した姿勢になっている。このため、第１フラップ１５の上外部には鋭角の外尖り縁部１７が形成されている。また、第１フラップ１５には、鈍角の内尖り縁部１８及び中間尖り縁部１９が形成されている。
【００３５】
第２フラップ１６には、鈍角の内尖り縁部２０と外尖り縁部２１とが形成されているが、外尖り縁部２１は、人の手が触れても傷付かないように丸みを持たせている。第１フラップ１５の内尖り縁部１８と外尖り縁部１７も、安全性のため僅かながら丸みを持たせている。
【００３６】
(2).作用・配置態様
本実施形態の羽根２は、両フラップ１５，１６が鋭角や鈍角の尖り縁部１７〜２１を有しているため、刃物のようなシャープな形態を成している。しかも、両フラップ１５，１６はく字形に屈曲していずれも回転軸心Ｏを含む平面に対して傾斜しているため、太陽光等の光は表面と裏面とに複雑に反射する。特に、回転すると、反射光が複雑に変化して、鳥に対して強い警戒感を与える。従って、高い鳥類忌避装置効果を発揮する。
【００３７】
また、形態の変化が一定していると鳥が馴れる現象が発生しやすいが、太陽の高さの変化や風の強さの変化などによって反射光の強さや向きが大きく変化するため、鳥の馴れを防止して高い忌避効果を永続させることができる。
【００３８】
対象部位への取り付け手段は、対象部位の構造によって適宜選択したらよい。図２（Ｂ）に示す例では、対象部２３がチャンネル材やＨ型鋼のような型鋼又は板材で構成されている場合に、対象部２３に通し穴２４を空けて、ベース５と対象部２３とをボルト２５及びナット２６で固定している。
【００３９】
他方、図２（Ｃ）に示す例では、同じく対象部２３がチャンネル材やＨ型鋼のような型鋼又は板材で構成されている場合に、ドリルねじ２７を使用して固定している。対象部２３が木材である場合は、木ねじや釘で固定したらよい。対象部２３が金属製である場合は、下穴を空けてからタッピンねじで締結することも可能である。或いは、ブラインドナットを使用した締結も可能である。当然ながら、対象部２３にタップ穴を空けてもよい。
【００４０】
シール性が必要な場合は、ベース５と対象部２３との間にゴム等の弾性シート（ガスケット）を介在せさせてもよい。逆に、ベース５と対象部２３との間にスペーサやカラーなどを配置して嵩上げすることも可能である。
【００４１】
(3).配置態様の例
忌避装置１の配置例を図４〜６に示している。図４に示す建造物は、鶏舎のような畜舎２９を備えた畜産施設３０であり、人が出入りする出入り口（玄関部）３１を設けた母屋３２と、庇３３及びシャッター３４を備えた荷裁き部３５と、シャッター３６を備えた倉庫部３７とを備えている。
【００４２】
畜舎２９は多数の窓３８を備えており、窓３８は、巻き上げ上げ式のカーテン３９（図５（Ｄ）参照）で覆うことができる。そこで、畜舎２９の壁４０のうち窓３８の上方部には、カーテン昇降ユニット４１を配置している。母屋３２の屋根は傾斜方式になっているが、それ以外の部位はフラットな平屋根４２になっており、平屋根４２の外周部には囲い枠４３を設けている。
【００４３】
そして、図４に黒丸で簡略して示すように、出入り口３１の軒先部、庇３３の先端部、倉庫部３７の壁、カーテン昇降ユニット４１の外面、平屋根４２における囲い枠４３の上面等に忌避装置１を配置している。
【００４４】
図５（Ａ）に示すように、忌避装置１を囲い枠４３の上面に配置する場合は、羽根２を上にした姿勢になるが、忌避装置１を庇３３の前面に配置する場合は、回転軸心は水平状の姿勢になる。図５（Ｂ）に示すように、忌避装置１を庇３３の下面に下向き姿勢で固定することも可能である。また、図５（Ｃ）に示すように、ブラケット４４を介して忌避装置１を前向き姿勢に配置することも可能である。
【００４５】
カーテン昇降ユニット４１を配置する場合は、図５（Ｄ）に示すように  忌避装置１は、回転軸心Ｏを横向きにした状態でカーテン昇降ユニット４１の外面に取り付けられる。図５（Ｅ）に示すように、隣り合った窓３８の間にスペースがある場合は、建物の壁４０の前面に前向き姿勢で固定することも可能である。
【００４６】
畜舎２９の換気や採光のためにカーテン４１を巻き上げて窓３８を空けたときに、鳥インフルエンザに感染した野鳥が飛来して、畜舎（鶏舎）２９の鶏に鳥インフルエンザを感染させることがあるが、本実施形態のように忌避装置１を配置していると、野鳥が畜舎２９に近寄ることはないため、安心して畜舎２９の内部を開放することができる。
【００４７】
また、畜舎で豚を飼育している場合、豚コレラに汚染された野鳥や、豚コレラに汚染された餌をくわえた野鳥が畜舎内に飛来して豚に豚コレラを感染させることも考えられるが、本実施形態のように忌避装置１を配置していると、野鳥が畜舎に近寄ることはないため、安心して畜舎２９の内部を開放することができる。荷裁き部３５と倉庫部３７も同様であり、野鳥の侵入を防止しつつシャッター３４，３６を空けて作業を行えるため、家畜への病気の感染を防止した状態で、安心して作業を行える。
【００４８】
図６（Ａ）では、忌避装置１は、回転軸心Ｏを水平にした姿勢で下がり壁４５の前面と後面とに固定されている。図６（Ｂ）に示す例では、鉄骨製建物４６の梁材４７に締結している。広い空間を有して扉を開放していることが多い建物の場合、内部に飛来して梁材４７や根太に営巣することがあるが、本実施形態の忌避装置１を配置することにより、建物４６の内部に飛来した鳥を追い返すことができる。
【００４９】
図６（Ｃ）では、電柱４８に固定された水平状のフレーム材４９に固定している。符号５０は碍子、符号５１はトランスである。送電線に載った鳥同士が餌を遣り取りして通電しショートしてしまうトラブルが発生することがあるが、実施形態の忌避装置１をフレーム材４９に配置することにより、鳥が電柱４８に近寄ることを阻止して、ショート事故を防止できる。図示していないが、特許文献２，３のように送電用鉄塔に配置することも可能である。或いは、変電所のフレーム材などにも配置できる。
【００５０】
中高層の集合住宅で鳩の害（糞、鳴き声、伝染病の媒介）が問題になっているが、図６（Ｄ）（Ｅ）に示すように、ベランダの手すり５２にクランプ体（仲介部材、ブラケット）５３，５４を介して忌避装置１を取り付けることにより、鳩害を防止できると期待される。なお、図６（Ｄ）のクランプ体５３は壁状の手すり５２に上から嵌まるようにコ字形になっており、ボルト５５のねじ込みによって手すり５２に固定されている。
【００５１】
他方、図６（Ｅ）では、手すり（ビーム）５２は丸パイプ製であり、クランプ体５４は、蝶番で連結された挟持方式になっており、一対のクランプ部材をボルト５５及びナット５６で引き付けることにより、手すり５２を強く抱持している。図６（Ｅ）の例では、忌避装置１は任意の方向に向けることができる。
【００５２】
(4).他の構造の例
図７では、忌避装置の構造の別例を示している。このうち（Ａ）に示す第２実施形態では、羽根２の表面に、一般の鳥の天敵である鷹（或いは隼、鷲、フクロウ）の目玉を模した模様５７を表示している。模様５７は、中央の丸は黒目を現しており、黒丸の周囲のドーナツ部はイエロー、その周囲の楕円部は目玉を囲っている小羽根であってグレーの色としているが、配色は任意に設定できる。なるべく目立つ配色にするのが好ましい。模様５７は羽根２に直接描いてもよいし、貼り付け式のステッカー（ラベル）５８に施しておいてもよい。
【００５３】
図７（Ｂ）に示す第３実施形態では、第１フラップ１５の上面１５ｃを鋸歯状に形成している。上面１５ｃを鋸歯状に形成することに加えて又はこれに代えて、一点鎖線で示すように、フラップ１５，１６の端面に、外尖り縁部１７を有するリブ５７を曲げ形成することも可能である。
【００５４】
図７（Ｃ）に示す第４実施形態では、折り目１４は回転軸心Ｏと同じ上下方向に長くなっており、従って、羽根２は、折り目１４を挟んで回転体３に近い側に位置した第３フラップ５９と、折り目１４を挟んで回転体３から遠い側に位置した第４フラップ６０とで構成されており、第４フラップ６０に、鋭角状の上尖り縁部６２と、鈍角状の中間尖り縁部中６３及び下尖り縁部６４を形成している。
【００５５】
図７（Ｃ）の実施形態でも、両フラップ５９，６０は回転軸心Ｏを含む平面に対して傾斜している。なお、図７（Ｃ）では折り目１４は回転軸心Ｏに対して傾斜しているが、折り目１４と回転軸心Ｏとを平行に形成してもよい。
【００５６】
以上、本願発明の実施形態を説明したが、本願発明は他にも様々に具体化できる。例えば、大きさや形状が異なる羽根を１つの回転体に取り付けることも可能である。羽根に、銀色や金色の目立つ色の縞模様を施すといったことも可能である。
【００５７】
忌避装置は、既述の場所の他に、駅舎や空港の建物、或いは、空港の滑走路沿いの地面、果樹園、田畑、菜園、鉄道用架線を吊っているフレーム材などの様々な部位に配置できる。忌避装置は地面に配置することも可能であるし、地面から立設したポールやフレームなどに取り付けることも可能である。１本のポールに忌避装置を多段に取り付けることも可能である。また、１枚の羽根を３枚以上のフラップで構成することも可能である（この場合は複数の折り目を備えるが、複数の折り目の姿勢を変えることも可能である。）。
【産業上の利用可能性】
【００５８】
本願発明は、鳥類忌避装置に具体化できる。従って、産業上利用できる。
【符号の説明】
【００５９】
１  鳥類忌避装置
２  羽根
３  回転体
４  支軸
５  ベース
８  軸受け
１０  回転軸の一例としてのビス
１２  蓋板
１４  折り目
１５  第１フラップ
１６  第２フラップ
１７〜２１  尖り縁部
３０  忌避装置を配置している施設
４４  仲介部材（ブラケット）
４８  忌避装置を配置している電柱
【要約】
【課題】信頼性・耐久性に優れた鳥類忌避装置を提供する。
【解決手段】忌避装置１は回転体３に固定された複数枚の羽根２と、ベース５に立設した支軸４を備えており、回転体３は軸受けを介して支軸４に回転自在に取り付けられている。各羽根２は、折り目１４を介して屈曲した複数枚のフラップ１５，１６で構成されており、各フラップ１５，１６は回転軸心Ｏを含む平面に対して傾斜している。フラップ１５，１６はそれぞれ複数の尖り縁部１７〜２１を有している。羽根２はシャープな形態でかつ太陽光が乱反射するため、鳥に強い警戒心を起こさせて近寄ることを防止できる。光の反射の態様は常に変化するため，鳥の馴れを防止して忌避効果をできる。上向き姿勢も下向き姿勢や横向き姿勢も任意に選択できるため、様々な場所に使用できて汎用性が高い。
【選択図】図１【図１】
0006765739.tif 000002
【図２】
0006765739.tif 000003
【図３】
0006765739.tif 000004
【図４】
0006765739.tif 000005
【図５】
0006765739.tif 000006
【図６】
0006765739.tif 000007
【図７】
0006765739.tif 000008